(57)【要約】【課題】挟み込み等による断線、ショートの発生を防止して、信頼性の向上を図ることが可能な回転電動機を提供する。【解決手段】一側に磁極テイース部５を有する複数のヨーク部７が薄肉部８を介して連結されたヨーク部材９を所定の枚数積層し、磁極テイース部５が内側となるように薄肉部８を屈曲させて環状に形成されるステータコア１０、およびステータコア１０の各磁極テイース部５に巻回され渡り部１１を介して順次接続される複数のコイル１２でなるステータ２を備えた回転電動機において、各ヨーク部７の他側の薄肉部８と対向する両端部に、それぞれステータコア１０の中心から延びる放射方向に対してお互いの方向に所定の角度を介して突出して形成され、相隣なる同士のコイル１２の引き出し側と積層方向に異なる側でコイル１２の渡り部１１を引っ掛けて保持する一対の引っ掛け部６をそれぞれ備える。【選択図】　　　　図１
2004129370.tif 000002
【特許請求の範囲】
【請求項１】
一側に磁極テイース部を有する複数のヨーク部が屈曲部を介して連結されたヨーク部材を所定の枚数積層し、上記磁極テイース部が内側となるように上記屈曲部を屈曲させて環状に形成されるステータコア、および上記ステータコアの各磁極テイース部にそれぞれ巻回され渡り部を介して順次接続される複数のコイルでなるステータを備えた回転電動機において、上記各ヨーク部の他側の上記屈曲部と対向する両端部に、それぞれ上記ステータコアの中心から延びる放射方向に対してお互いの方向に所定の角度を介して突出して形成され、相隣なる同士の上記コイルの引き出し側と積層方向に異なる側で上記コイルの渡り部を引っ掛けて保持する一対の引っ掛け部をそれぞれ備えたことを特徴とする回転電動機。
【請求項２】
上記引っ掛け部の先端には、上記ヨーク部の中央側に折曲して折曲縁が形成されていることを特徴とする請求項１記載の回転電動機。
【請求項３】
上記引っ掛け部の根元には、段部が形成されていることを特徴とする請求項１または２記載の回転電動機。
【請求項４】
上記引っ掛け部は、積層方向に上記コイルの引き出し側の上記ヨーク部材のみに形成されていることを特徴とする請求項１ないし３のいずれかに記載の回転電動機。
【請求項５】
上記引っ掛け部の上記コイルの渡り部と接する側には、面打ちが施されていることを特徴とする請求項１ないし４のいずれかに記載の回転電動機。
【発明の詳細な説明】
【０００１】
【発明の属する技術分野】
この発明は、例えば磁気ディスクや光ディスク駆動装置等に用いられる媒体回転駆動用の回転電動機に係り、特にステータコアの構造に関するものである。
【０００２】
【従来の技術】
従来の回転電動機においては、一側に磁極テイース部を有する複数のヨーク部が、屈曲部を介して連結されたヨーク部材を所定の枚数積層一体化し、各ヨーク部の磁極テイース部にコイルを順次巻回して渡り部を介して接続した後、磁極テイース部が内側となるように屈曲部を屈曲させて環状とすることによりステータが構成されている（例えば、特許文献１参照）。
【０００３】
【特許文献１】
特開平１１−２２０８４４号公報（第６頁、第６図）。
【０００４】
【発明が解決しようとする課題】
従来の回転電動機は、各ヨーク部の磁極テイース部にコイルを順次巻回して渡り部を介して接続した後、磁極テイース部が内側となるように屈曲部を屈曲させて環状とすることによりステータを構成しているので、屈曲部の屈曲前の状態と比較し、屈曲部を屈曲させて環状とした状態では、コイルの引出部間の距離、すなわち渡り部の延在距離が短くなるため、渡り部が弛み基板等へ搭載する際に、挟み込み等による断線、ショートが発生して信頼性が低下するという問題点があった。
【０００５】
この発明は上記のような問題点を解消するためになされたもので、挟み込み等による断線、ショートの発生を防止して、信頼性の向上を図ることが可能な回転電動機を提供することを目的とするものである。
【０００６】
【課題を解決するための手段】
この発明に係る回転電動機は、一側に磁極テイース部を有する複数のヨーク部が屈曲部を介して連結されたヨーク部材を所定の枚数積層し、磁極テイース部が内側となるように屈曲部を屈曲させて環状に形成されるステータコア、およびステータコアの各磁極テイース部にそれぞれ巻回され渡り部を介して順次接続される複数のコイルでなるステータを備えた回転電動機において、各ヨーク部の他側の屈曲部と対向する両端部に、それぞれステータコアの中心から延びる放射方向に対してお互いの方向に所定の角度を介して突出して形成され、相隣なる同士のコイルの引き出し側と積層方向に異なる側でコイルの渡り部を引っ掛けて保持する一対の引っ掛け部をそれぞれ備えたものである。
【０００７】
【発明の実施の形態】
以下、この発明の実施の形態を図に基づいて説明する。
実施の形態１．
図１はこの発明の実施の形態１における回転電動機の構成を示す平面図、図２は図１における回転電動機のステータの要部の屈曲前の構成を示し、（Ａ）は平面図、（Ｂ）は斜視図、図３は図１における回転電動機のステータの要部の屈曲後の構成を示し、（Ａ）は平面図、（Ｂ）は斜視図、図４は図１における回転電動機のステータコアの構成を示す平面図、図５は図４におけるとは異なるステータコアの構成を示す平面図、図６は図４におけるとはさらに異なるステータコアの構成を示す平面図である。
【０００８】
図において、回転電動機１はステータ２およびロータ３でなり、例えば基板４等に載置されている。そして、ステータ２は図４に示すように一側に３個の磁極テイース部５が、又、他側の後述の薄肉部と対向する両端部に一対の引っ掛け部６がそれぞれ形成された複数のヨーク部７が、屈曲部としての薄肉部８を介して連結されたヨーク部材９を、所定の板数積層して磁極テイース部５が内側となるように、薄肉部８を屈曲させて環状に形成されるステータコア１０および、図２に示すように各ヨーク部７の３個の磁極テイース部５にそれぞれ同時に巻回され、渡り部１１を介して順次接続される複数のコイル１２により構成され、基板４上に固定して配置されている。
【０００９】
そして、各渡り部１１は引っ掛け部６のコイル１２の引き出し側と積層方向に異なる側を通るように配置されており、図３に示すように薄肉部８が屈曲されると、一対の引っ掛け部６はそれぞれ、ステータコア１０の中心から延びる放射方向に対して、お互いの方向に所定の角度だけ変位して傾き渡り部１１を保持する。この時、渡り部１１は保持された状態でヨーク部７の外周面に沿って引き渡される。又、ロータ３は回転軸１３が基板４側に配置された軸受（図示せず）を介して回転自在に保持され、その外周面がステータの内周面、すなわち各磁極テイース部５の先端面との間に所定の間隙を介して配置されている。
【００１０】
このように上記実施の形態１によれば、ヨーク部材９の各ヨーク部７の他側の薄肉部８と対向する両端部に、一対の引っ掛け部６を形成し、この引っ掛け部６にコイル１２の渡り部１１を引っ掛けるようにしているので、渡り部１１は薄肉部８が屈曲される時点で、引っ掛け部６の変位によりヨーク部７の外周面に沿って引き渡され、渡り部１１の弛みがなくなるため、挟み込み等による断線、ショートの発生を防止して、信頼性の向上を図ることが可能になる。
【００１１】
なお、上記構成では、引っ掛け部６をピン状としたが、これに限定されるものではなく、図５に示すように先端にヨーク部７の中央側に折曲された折曲縁１４を有する引っ掛け部１５としても良く、折曲縁１４を設けたことにより渡り部１１の保持がより確実となり、さらに信頼性の向上を図ることができ、又、図６に示すように薄肉部８の屈曲前の時点で、すでに傾きを有する引っ掛け部１６とすることにより、図５の場合と同様に渡り部１１の保持がより確実となり、さらに信頼性の向上を図ることができる。
【００１２】
実施の形態２．
図７はこの発明の実施の形態２における回転電機の要部の構成を示す平面図、図８は図７における回転電機のステータコアの屈曲される前の状態を示す平面図、図９は図７における回転電機のステータコアの屈曲された後の状態を示す平面図である。
図において、上記実施の形態１におけると同様な部分は同一符号を付して説明を省略する。
【００１３】
この実施の形態２におけるステータコア１０においては、図８に示すようにヨーク部７の他側の薄肉部８と対向する両端に形成される一対の引っ掛け部１７の根元に段部１８がそれぞれ形成されている。そして、この段部１８は薄肉部８が屈曲されると、図９に示すように薄肉部８が形成された部位を含むヨーク部７の外周面より、半径方向外側に位置するように変位され、渡り部１１はこの段部１８に載っかかった状態で引っ掛け部１７に保持されている。
【００１４】
このように上記実施の形態２によれば、引っ掛け部１７の根元に段部１８を形成し、渡り部１１がこの段部１８に載っかかった状態で引っ掛け部１７により保持しているので、図７に示すように渡り部１１が薄肉部８と直接接触することがなくなり、薄肉部８に疲労破壊等による割れが生じた場合、この割れに渡り部１１が接触して被覆の損傷が発生するのを防止することができるため、さらに信頼性の向上を図ることができる。
【００１５】
実施の形態３．
図１０はこの発明の実施の形態３における回転電機の要部の構成を示す斜視図である。
図において、上記実施の形態１におけると同様な部分は同一符号を付して説明を省略する。
この実施の形態３においては、コイル１２の引き出し側の２枚のヨーク部材９のみに引っ掛け部６が形成されており、又、この引っ掛け部６の渡り部１１と接する側には面打ち１９が施されている。
【００１６】
このように上記実施の形態３によれば、コイル１２の引き出し側の２枚のヨーク部材９のみに引っ掛け部６が形成されているので、渡り部１１を残りのヨーク部材９の外周面に沿って配置することができるため、渡り部１１がステータコア１０の側面より外方にはみ出すこともなくなり、ロータ（図示せず）等の回転部分と接触することが防止され、又、引っ掛け部６の渡り部１１と接する側に面打ち１９が施されているため、渡り部１１が引っ掛け部６のコーナ部に接触して被覆が損傷したりするのが防止され、それぞれ信頼性の向上を図ることができる。
【００１７】
【発明の効果】
以上のように、この発明によれば、一側に磁極テイース部を有する複数のヨーク部が屈曲部を介して連結されたヨーク部材を所定の枚数積層し、磁極テイース部が内側となるように屈曲部を屈曲させて環状に形成されるステータコア、およびステータコアの各磁極テイース部にそれぞれ巻回され渡り部を介して順次接続される複数のコイルでなるステータを備えた回転電動機において、各ヨーク部の他側の屈曲部と対向する両端部に、それぞれステータコアの中心から延びる放射方向に対してお互いの方向に所定の角度を介して突出して形成され、相隣なる同士のコイルの引き出し側と積層方向に異なる側でコイルの渡り部を引っ掛けて保持する一対の引っ掛け部をそれぞれ備えたので、挟み込み等による断線、ショートの発生を防止して、信頼性の向上を図ることが可能な回転電動機を提供することができる。
【図面の簡単な説明】
【図１】この発明の実施の形態１における回転電動機の構成を示す平面図である。
【図２】図１における回転電動機のステータの要部の屈曲前の構成を示し、（Ａ）は平面図、（Ｂ）は斜視図である。
【図３】図１における回転電動機のステータの要部の屈曲後の構成を示し、（Ａ）は平面図、（Ｂ）は斜視図である。
【図４】図１における回転電動機のステータコアの構成を示す平面図である。
【図５】図４におけるとは異なるステータコアの構成を示す平面図である。
【図６】図４におけるとはさらに異なるステータコアの構成を示す平面図である。
【図７】この発明の実施の形態２における回転電動機の要部の構成を示す平面図である。
【図８】図７における回転電動機のステータコアの屈曲される前の状態を示す平面図である。
【図９】図７における回転電動機のステータコアの屈曲された後の状態を示す平面図である。
【図１０】この発明の実施の形態３における回転電動機の要部の構成を示す斜視図である。
【符号の説明】
２　ステータ、３　ロータ、５　磁極テイース部、
６，１５，１６，１７　引っ掛け部、７　ヨーク部、８　薄肉部、
９　ヨーク部材、１０　ステータコア、１１　渡り部、１２　コイル、
１４　折曲縁、１８　段部、１９　面打ち。
【図１】
2004129370.tif 000003
【図２】
2004129370.tif 000004
【図３】
2004129370.tif 000005
【図４】
2004129370.tif 000006
【図５】
2004129370.tif 000007
【図６】
2004129370.tif 000008
【図７】
2004129370.tif 000009
【図８】
2004129370.tif 000010
【図９】
2004129370.tif 000011
【図１０】
2004129370.tif 000012